(57)【特許請求の範囲】
【請求項１】
クランプ部材であって、
断面が略Ｌ字形で、その先端部に舌片部を有し、該クランプ部材の主面から突設して形成された第１の部材と、
断面が略Ｌ字形で、その先端部には断面が略半円状の屈曲部が切り欠きを挟んで並列して有し、該クランプ部材の主面から突設して形成された第２の部材とを備え、
前記舌片部と前記切り欠きが上下の位置関係にあり、前記舌片部と前記屈曲部が対向していることを特徴とするクランプ部材。
【請求項２】
略半円状の溝形状の溝部が複数並列して形成された第３の部材と、
ケーブル類を整束するための整束部材が掛着可能な掛着部が複数並列して形成された第４の部材とを備え、
前記第３の部材と前記第４の部材は、前記第１の部材及び前記第２の部材よりも主面上で上方に位置していることを特徴とする請求項１記載のクランプ部材。
【請求項３】
前記舌片部と前記屈曲部とで形成される領域には電源コードが保持され、前記第１の部材又は前記第２の部材と前記溝部とで形成される領域には、電源コード以外のコード類が保持されることを特徴とする請求項２記載のクランプ部材。
【請求項４】
前記溝部の溝の大きさは、それぞれ異なっていることを特徴とする請求項２記載のクランプ部材。
【請求項５】
前記第１の部材又は前記第２の部材と前記第４の部材とで形成される領域には、信号ケーブル類が保持されることを特徴とする請求項２又は３記載のクランプ部材。
【請求項６】
前記クランプ部材は、ＡＢＳ樹脂モールド製で、一体的に形成されていることを特徴とする請求項１乃至５のいずれか１項に記載のクランプ部材。
【請求項７】
前記クランプ部材は、電子装置が商用電源と接続するための電源コードプラグ用インレットと嵌合するインレット保護部が形成され、該電子装置の電源部を覆うカバーと、一体的に形成されていることを特徴とする請求項１乃至６のいずれか１項に記載のクランプ部材。
【請求項８】
前記電子装置は、ＰＯＳ端末部と、タッチ入力式ディスプレイを備えたＰＯＳ端末装置であることを特徴とする請求項７記載のクランプ部材。
【請求項９】
請求項２に記載されたクランプ部材におけるクランプ方法であって、
電源コード以外のコード類あるいはケーブル類を、前記舌片部と前記屈曲部との間を潜らせて前記溝部で保持あるいは前記掛着部を利用し整束し、
電源コードを、前記舌片部と前記屈曲部とで形成される領域で保持することを特徴とするクランプ方法。
【発明の詳細な説明】
【技術分野】
【０００１】
本発明は、例えば多種、多様なケーブル類、コード類であっても、整理整頓良くクランプできるクランプ部材及びクランプ方法に関するものである。
【背景技術】
【０００２】
電子機器と外部機器と接続するため、電源コードを始めとして、信号ケーブル等が接続されるが、電子機器の機能が多様化するにつれて、これら接続されるケーブル類も太くなり、またその本数も増える傾向にある。
【０００３】
これらケーブル類が雑然と接続された場合には、メンテナンス上、あるいは外観上も好ましくないことから、例えば、ケーブル類を束ねるための整束具が提案されている（例えば、特許文献１参照）。
【０００４】
これは、筐体に収容された複数の回路基板に接続される各複数本のコードを、夫々の回路基板の前面パネルの長手方向一側に各別に配した整束部材に整束保持させ、これらの整束部材から前面パネルに沿って延ばし、該前面パネルに設けたコネクタに接続する。これにより夫々の回路基板に接続されるコードは、接続の段階で夫々の前面パネルの幅範囲内に可及的に収まり、メンテナンスのための相隣する回路基板の引き出しを阻害せず、また引き出される回路基板との接触による損傷を回避しようとするものである。
【特許文献１】特開２００３−２２４３７６号公報
【発明の開示】
【発明が解決しようとする課題】
【０００５】
上記した特許文献１に開示された従来技術では、整束部材は、複数本のコードに対応し、パネルの幅範囲内に収まるように整束保持するものであり、ケーブル類、コード類の種別が多種に亘ったり、外皮の太さ等が異なる場合については、十分でないという問題点があった。
【０００６】
そこで、本発明は、上記問題点を解決するために、多種、多様なケーブル類、コード類であっても、整理整頓良くクランプできるクランプ部材、それを備えた電子装置及びクランプ方法を提供することを目的とする。
【課題を解決するための手段】
【０００７】
本発明の一態様によれば、クランプ部材であって、
断面が略Ｌ字形で、その先端部に舌片部を有し、該クランプ部材の主面から突設して形成された第１の部材と、
断面が略Ｌ字形で、その先端部には断面が略半円状の屈曲部が切り欠きを挟んで並列して有し、該クランプ部材の主面から突設して形成された第２の部材とを備え、
前記舌片部と前記切り欠きが上下の位置関係にあり、前記舌片部と前記屈曲部が対向していることを特徴とするクランプ部材が提供される。
【０００８】
本発明のクランプ部材においては、略半円状の溝形状の溝部が複数並列して形成された第３の部材と、ケーブル類を整束するための整束部材が掛着可能な掛着部が複数並列して形成された第４の部材とを備え、前記第３の部材と前記第４の部材は、前記第１の部材及び前記第２の部材よりも主面上で上方に位置していることを特徴とする。
【０００９】
本発明のクランプ部材においては、前記舌片部と前記屈曲部とで形成される領域には電源コードが保持され、前記第１の部材又は前記第２の部材と前記溝部とで形成される領域には、電源コード以外のコード類が保持されることを特徴とする。
【００１０】
本発明のクランプ部材においては、前記第１の部材又は前記第２の部材と前記第４の部材とで形成される領域には、信号ケーブル類が保持されることを特徴とする。
【００１１】
本発明のクランプ部材においては、前記クランプ部材は、ＡＢＳ樹脂モールド製で、一体的に形成されていることを特徴とする。
【００１２】
本発明のクランプ部材においては、前記溝部の溝の大きさは、それぞれ異なっていることを特徴とする。
【００１３】
本発明のクランプ部材においては、前記クランプ部材は、電子装置が商用電源と接続するための電源コードプラグ用インレットと嵌合するインレット保護部が形成され、該電子装置の電源部を覆うカバーと、一体的に形成されていることを特徴とする。
【００１４】
本発明のクランプ部材においては、前記電子装置は、ＰＯＳ端末部と、タッチ入力式ディスプレイを備えたＰＯＳ端末装置であることを特徴とする。
【００１５】
また、本発明の別の態様によれば、クランプ部材におけるクランプ方法であって、
電源コード以外のコード類あるいはケーブル類を、前記舌片部と前記屈曲部との間を潜らせて前記溝部で保持あるいは前記掛着部を利用し整束し、
電源コードを、前記舌片部と前記屈曲部とで形成される領域で保持することを特徴とするクランプ方法が提供される。
【発明の効果】
【００１６】
本発明によれば、簡易な構造で、多種、多様なケーブル類、コード類であっても、整理整頓良くクランプできる。
【発明を実施するための最良の形態】
【００１７】
以下、本発明の実施形態について、図面を参照しながら説明する。尚、各図において同一箇所については同一の符号を付すとともに、重複した説明は省略する。
【００１８】
本実施形態は、電子装置であるＰＯＳ（Point Of Sales）端末装置において適用したものである。尚、本発明に係る特徴的な構成は、ＰＯＳ端末装置以外にも適用できることは言うまでもない。
【００１９】
図１は、ＰＯＳ端末装置１００の外観を示す表側から見た斜視図であり、図２は、ＰＯＳ端末装置１００の外観を示す裏側から見た斜視図である。図１に示すように、このＰＯＳ端末装置１００は、大別すると、ＰＯＳ端末部１、ディスプレイ２で構成されている。このＰＯＳ端末装置１００では、現金あるいは小切手等を収容するキャッシュドロワは、オプションで接続できるようになっている。ＰＯＳ端末部１は、いずれも図示しないＣＰＵ（Central Processing Unit）、メモリ等が搭載されたマザーボード等の基板類、ＨＤＤ（Hard Disk Drive）、電源等が内側カバー７０（後述）の中に収納されている。マザーボードには、例えば汎用ＯＳがインストールされ、所定のアプリケーションで、ＰＯＳ端末装置１００は機能する。ＰＯＳ端末部１の詳細については、必要に応じて、後述する。
【００２０】
ディスプレイ２は、例えばタッチパネル式のＴＦＴ液晶ディスプレイが好適である。ディスプレイ２には、ＰＯＳ端末部１内のマザーボードに格納されているアプリケーションに応じて、ＰＯＳ端末装置１００の操作画面が表示されるようになっている。ディスプレイ２の下部には、電源用ＬＥＤ２１と、ＨＤＤ用ＬＥＤ２２が配設されている。電源用ＬＥＤ２１は、ＰＯＳ端末装置１００のＯＮ／ＯＦＦ状態を示すためものである。ＨＤＤ用ＬＥＤ２２は、ＰＯＳ端末部１内のＨＤＤにアクセス中、点灯する。
【００２１】
図２に示すように、ディスプレイ２の背面側の下部には、電源スイッチ２３と、輝度調整器２４が配設されている。電源スイッチ２３は、操作者がＰＯＳ端末装置１００の電源のＯＮ又はＯＦＦを切り替えるためのスイッチである。輝度調整器２４は、ディスプレイ２の輝度を操作者が見易いように、調整するのに使用される。
【００２２】
ディスプレイ２は、操作者が操作し易い位置、角度を選択できるように、例えば１０〜６０度の範囲で、図１あるいは図２に示すホームポジションから上方にチルト可能になっている。また、電源スイッチ２３や輝度調整器２４の操作の際に、ディスプレイ２をチルトさせた方が、操作部分が見易くなるので、適宜、チルト角を選択できるので好適である。
【００２３】
図３は、電源コードプラグの接続を説明するための図である。図３に示すように、ＰＯＳ端末部１の後背は、背面カバー３１で覆われている。背面カバー３１は、樹脂モールド製で、いずれも後述するカバー６やコネクタ部４０を覆うことにより塵埃等から保護している。
【００２４】
ＰＯＳ端末装置１００に電源コードプラグを接続するには、まずＰＯＳ端末部１の背面カバー３１の両側面を押す（Ａ）。背面カバー３１はモールド製なので、押されることにより弾性変形し、背面カバー３１に形成されている係止用３２の爪がＰＯＳ端末部１の係止部３３からはずれる。次いで、背面カバー３１の下方を持ち上げる（Ｂ）。そして、背面カバー３１を手前、すなわち操作者側に引っ張ると、背面カバー３１は、ＰＯＳ端末部１から取り外すことができる。
【００２５】
図３に示すように、ＰＯＳ端末部１には、上述した電源や基板類等の電機部品が内側カバー７０にて覆われて収容されており、内側カバー７０は更にカバー６で覆われている。内側カバー７０にはＡＣインレット３４が設けられており、背面カバー３１が取り外しできると、操作者は、ＡＣインレット３４にアクセス可能となる。そして、ＡＣインレット３４に所定の電源コードプラグを差し込むことにより、ＰＯＳ端末装置１００に商用電源が供給可能となる。
【００２６】
図４、図５は、ＰＯＳ端末装置１００と外部機器等とを接続するための端子類を説明するための図である。
【００２７】
図４において、ＰＯＳ端末部１の内部に配置され、箱体状に形成されたコネクタ部４０の上部には、ＶＦＤ（蛍光表示ディスプレイ）用コネクタ４１が配設されている。コネクタ部４０の左側には、上から、キャッシュドロワ用端子４２が２箇所、配設されている。キャッシュドロワ用端子４２の下方には、ＵＳＢ（Universal Serial Bus）ポート４３が３箇所、配設されている。ＵＳＢポート４３の下方には、マウス用ポート４４、キーボード用ポート４５が並んで配設されている。また、マウス用ポート４４の下方には、マイクロフォン用端子４６と、スピーカ用端子４７が並んで配設されている。マイクロフォン用端子４６の下方には、イーサネット（登録商標）用のＬＡＮ端子４８が配設されている。
【００２８】
次に、図５において、ＰＯＳ端末部１の内部に形成されたコネクタ部４０の右側には、最上部に外部ＶＦＤ用コネクタ５１が、配設されている。外部ＶＦＤ用コネクタ５１の下方には、汎用コネクタ５２が配設されている。汎用コネクタ５２には、雄タイプのコネクタで、モデム、バーコードスキャナ、シリアルインタフェース型のはかり、電子資金決済であるＥＦＴ（Electronic Fund Transfer）端末等を接続することができる。汎用コネクタ５２の下方には、汎用コネクタ５３、汎用コネクタ５４が並んで配設されている。汎用コネクタ５３は、例えば汎用コネクタ５２と同じものが配設されている。汎用コネクタ５４は、雌タイプのコネクタで、モデム、バーコードスキャナ、シリアルインタフェース型のはかり、電子資金決済であるＥＦＴ（Electronic Fund Transfer）端末等を接続することができる。汎用コネクタ５３の下方には、ＵＳＢポート５５が配設されている。ＵＳＢポート５５は例えば、２４ＶのパワードＵＳＢとする。パワードＵＳＢには、例えばレシート用のプリンタを接続すると好適である。ＵＳＢポート５５の下方には、拡張ＶＧＡ（Video Graphics Array）インタフェース用雌型のコネクタ５６が配設されている。
【００２９】
図６は、ＰＯＳ端末部１から背面カバー３１を取り外した際の、ＰＯＳ端末部１の下部、すなわち上記したコネクタ類、ポート等が配設されている部位のさらに下方を拡大した斜視図である。図６において、破線で示されている内側カバー７０を覆っているカバー６が現れている。カバー６は、例えば絶縁性及び弾性をもたせるため、ＡＢＳ樹脂等の樹脂モールド製が好適である。カバー６は、主として、ＰＯＳ端末部１の電源部、ＨＤＤ、マザーボード等の基板類を収容している内側カバー７０を、更に保護するためのものである。カバー６の上部には、ＡＣインレット３４の周囲を取り囲むように形成されたインレット保護部６１が形成されている。すなわち、ＡＣインレット３４と若干の隙間を有してインレット保護部６１が嵌合するようになっている。インレット保護部６１は、ＡＣインレット３４を保護すると共に、位置合わせに好都合であるので、例えば２ｍｍ程度の高さの淵を形成すると好適である。
【００３０】
また、インレット保護部６１に隣接して、カバー６のＰＯＳ端末部１への取り付け部６２が形成されている。取り付け部６２には、例えば周囲にローレット加工が施された摘みネジ６３が配設され、ＰＯＳ端末部１とカバー６がネジ止めするようになっている。摘みネジ６３では、指で摘んで緩めることができるので、言わば工具を使用せずとも、カバー６の取り付け、取り外しが可能となる。カバー６は、インレット保護部６１が形成された面から下方に折れ曲がって形成されている。この折れ曲がり部６４には、ＰＯＳ端末部１と接続されるケーブル類を整理整頓して支持するために、ケーブル類の外形に近似した溝部６５が、複数並んで形成されている。これら溝部６５の溝の大きさは、溝に嵌まり込むケーブル類の外皮の径に応じて決めるのが好適である。一般的には、複数のケーブル類の外皮の径には大小があるので、径大用から次第に径小用に並べて溝部６５を形成すれば、よりケーブル類の整理整頓には適している。
【００３１】
図６中において、溝部６５の右隣りには、細い信号線やケーブル類を捻って整束するための結束バンドを掛けるための掛着部６６が形成されている。これら溝部６５、掛着部６６の下方には、断面が略Ｌ字形が対向した形状を呈したクランプ部６７が、カバー６の一面から突設し、一体的に形成されている。クランプ部６７は、例えば電源コードをその外形に沿ってクランプする電源コードクランプ部６７ａの役割と電源コード以外のコード類、信号ケーブル類を整列させて保持するための保持部６７ｂの役割を担うものである。電源コードクランプ部６７ａは、一方の略Ｌ字形部６７ｃの先端部分に一体的に形成され、例えば電源コードをその外形に沿ってクランプするために断面が略半円状に屈曲している。この屈曲部６７ｄの幅方向の中央部分には、切り欠きが形成されており、屈曲部６７ｄが切り欠きを挟んで並列している。また、他方の略Ｌ字形部６７ｅの先端部分には、舌片部６７ｆが、屈曲部６７ｄの切り欠きに対して上下の位置関係で対向する形で形成されている。したがって、電源コードクランプ部６７ａは、一方の略Ｌ字形部６７ｃの屈曲部６７ｄと、他方の略Ｌ字形部６７ｅの舌片部６７ｆとで形成される領域に電源コードを保持するようになっている。また、略Ｌ字形部６７ｅと溝部６５とで形成される領域に電源コード以外のコード類を保持するようになっている。同様に、略Ｌ字形部６７ｃと掛着部６６とで形成される領域に信号ケーブル類を保持するようになっている。
【００３２】
尚、上述した溝部６５の溝の大きさを変える場合には、屈曲部６７ｄに近い溝は径大用に、屈曲部６７ｄから離れる方向にしたがって径小用を形成すると、電源コード、コード類、信号ケーブル類のまとまりが更に良くなる。
【００３３】
また、図６に示すように、カバー６の他の面には、放熱用のスリット６８が並列して形成されている。
【００３４】
上述のように、クランプ部６７において、電源コードクランプ部６７ａ及び保持部６７ｂが形成されていることにより、電源コード、電源コード以外のコード類、ケーブル類が整理整頓されてクランプできることから、これら電源コード等のコネクション箇所、例えばＡＣインレットやコネクタ等にストレスが掛かるのを抑止することができる。
【００３５】
次に、例えば点検や交換あるいはメモリ増設のため、このように構成されたＰＯＳ端末装置１００の内部に収容されたマザーボード等にアクセスする場合について説明する。
【００３６】
（１）まず、ＰＯＳ端末装置１００のＰＯＳ端末部１の背面にある背面カバー３１を取り外す。これは、上記したように、背面カバー３１の両側面を押して、係止用３２の爪をＰＯＳ端末部１の係止部３３からはずし、背面カバー３１の下方を持ち上げて、背面カバー３１を手前に引っ張ると、背面カバー３１は、ＰＯＳ端末部１から取り外すことができる。
【００３７】
（２）背面カバー３１を取り外すと、電源コードプラグが現れるので、ＡＣインレット３４から電源コードプラグを引き抜く。
【００３８】
（３）電源コードをクランプ部６７から外す。
【００３９】
（４）電源コード以外のコード類や、ケーブル類を、屈曲部６７ｄと舌片部６７ｆの隙間を潜らせて、クランプ部６７から外す。この際、ケーブル類の整束に結束バンドが使用されている場合には、掛着部６６から結束バンドをねじってはずす作業が加わることになる。
【００４０】
（５）次いで、摘みネジ６３を緩めて抜き取り、カバー６を内側カバー７０から取り外す。
【００４１】
（６）内側カバー７０をＰＯＳ端末部１の本体から取り外すことにより、マザーボード等にアクセスすることができるので、点検あるいは交換さらにはメモリの増設等の作業ができる。
【００４２】
点検あるいは交換さらにはメモリの増設等の作業が終了後は、逆の手順を行うことにより、電源コード等のコネクション箇所、例えばＡＣインレットやコネクタ等にストレスが掛かるのを抑止しつつ、整理整頓された状態で確実にクランプすることができる。
【００４３】
本実施形態に係る構造によれば、必ず先に電源コードプラグを抜脱しなければ、マザーボード等の基板類、ＨＤＤ、電源等のＰＯＳ端末部１の内部に収容された電機部品類にアクセス出来ないので、感電事故の防止、装置本体の収容部品の損傷を確実に防ぐことができる。
【００４４】
本発明は上記実施形態そのままに限定されるものではなく、実施段階ではその要旨を逸脱しない範囲で構成要素を変形して具体化できる。上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４５】
【図１】ＰＯＳ端末装置の外観を示す表側から見た斜視図である。
【図２】ＰＯＳ端末装置の外観を示す裏側から見た斜視図である。
【図３】電源コードの接続を説明するための図である。
【図４】ＰＯＳ端末装置と外部機器等とを接続するためのコネクタ類を説明するための図である。
【図５】ＰＯＳ端末装置と外部機器等とを接続するための端子類を説明するための図である。
【図６】カバーの斜視図である。
【符号の説明】
【００４６】
１００・・・ＰＯＳ端末装置、１・・・ＰＯＳ端末部、２・・・ディスプレイ、３１・・・背面カバー、３４・・・ＡＣインレット、４０・・・コネクタ部、６・・・カバー、６１・・・インレット保護部、６３・・・摘みネジ、６７・・・クランプ部、６７ａ・・・電源コードクランプ部、６７ｂ・・・保持部、６７ｄ・・・屈曲部、６７ｆ・・・舌片部、７０・・・内側カバー。
【図１】
0004741564.tif 000002
【図２】
0004741564.tif 000003
【図３】
0004741564.tif 000004
【図４】
0004741564.tif 000005
【図５】
0004741564.tif 000006
【図６】
0004741564.tif 000007